Podtech/llm-jp-corpus-v4-ja_patent huggingface dataset:
(57)【要約】      （修正有）【課題】空気清浄構築・構造は、集塵・脱臭・抗菌効果で形成され精密機械の製造・実験室・公共施設・一般家庭の空気清浄に優れた機能性を提供する。【解決手段】室内の空気供給装置と空気吸入装置を有し、清浄空気の層流保持、清流度維持を行うと共に、室内の微細粒子、ガス、カビ等の対策のためにマイナスイオン発生装置を備えた。【選択図】なし【特許請求の範囲】
【請求項１】
空気清浄構築・構造は、室内の空気供給装置と空気吸入装置を有し、製浄空気の層流保持・清流度維持を特徴とする構築方法。
【請求項２】
上記室内の微細粒子浮遊・有機系のガス等・カビ発生・黄変対策を赤外線・マイナスイオン発生装置を特徴とする構築方法。
【請求項３】
上記室内を精密機械の作業工程・実験室の作業種別によって、間仕切り構造の可能を特徴とする構築方法。
【請求項４】
上記室内を微細な通気孔・凹凸機能を有している織布・不織布や通気孔を有している素材が接触構造に接合構造が形成され剥離回避反応構造にしたことを特徴とする構築方法。
【請求項５】
上記記載において、本発明を逸脱しない範囲の変更は、本発明に含まれる。
【発明の詳細な説明】
【技術分野】
【０００１】本発明は、空気清浄の構築方法及び構造に関するものであり、精密機械の製造・実験室・公共施設や一般家庭の空気清浄に優れた機能性を発揮する。
【背景技術】
【０００２】従来の空気清浄構築・構造には大気をフイルタ−に通過させ、空調機で温度・湿度調整ご循環空気に合流させる構造にある。しかし、室内の微細粒子の浮遊・有機系ガス・アンモニアガス・シロキサンガス等の発生からル−ム内にカビの発生・黄変問題が発生している。従来技術は単体対応をしているために、工程において設計、部材、製作技術がかかり過ぎ高額である。
【発明の開示】
【発明が解決しようとする課題】
【０００３】しかしながら、上記構造には清浄な空気を層流状態保持・清浄度維持は困難であり、本発明は、室内の清浄度を継続維持し、経済的稼動の空気清浄構築は、安全性、安心・安価な室内構造を提供することを目的とする。
【課題を解決するための手段】
【０００４】本発明は、上記目的を達成すべく空気清浄構築・構造装置は、室内の空気供給装置と、室内の空気吸入装置を有するハイブリッドシステムにしたことを特徴とする。上記目的解決対応を多目的用に達成するためにもランニングコストの低減システムである。
【発明の効果】
【０００５】本発明の室内は、清浄空気の層流保持・清流度維持対策ができる。【０００６】本発明の室内の微細粒子浮遊・有機系のガス等・カビ発生・黄変は、赤外線・マイナスイオン発生装置により対策ができる。【０００７】上記対策室内を作業工程・実験室の作業種別により、間仕切り構造を可能にすることを特徴とした。【０００８】本発明は、内装工事において施工労力の低減・工事費低減・工期短縮等の実現・室内の間仕切り構造から清浄装置の運転・停止をすることにより電力の節減効果が図れ、ランニングコストの低減・衛生環境を考慮した。
【発明を実施するための最良の形態】
【０００９】本発明の実施形態は多目的に活用でき、汎用性を特徴とする。【００１０】従来工法には、室内で発生する微細粒子の発生・有機系ガス発生・カビ発生・黄変発生抑制効果が得られることを特徴とする。【００１１】室内通気性に好ましくは、微細な通気孔・凹凸機能を有している織布・布織布や通気孔を有している素材が接触構造に接合構造が形成され、剥離回避反応構造にしたことを特徴とする。【００１２】空気清浄構築は、新設・既存構造物に本発明機能を単一・複合によって構築機能発揮を特徴とする。【００１３】空気清浄構築方法及び構造は、上記室内をマイナスイオン・赤外線で坦持させ、無オゾンできれいなマイナスイオン１ｃｃあたり３００万個以上の発生を可能とし、集塵・脱臭・抗菌効果で形成され、精密機械の製造・実験室・公共施設（飲食店・ホテル・カラオケＢＯＸ・医療施設・福祉施設等）や一般家庭の空気清浄対応策を考慮したことを特徴とする。
【産業上の利用可能性】
【００１４】本発明の空気清浄構築方法及び構造は、マイナスイオン・赤外線で坦持し、無オゾンできれいなマイナスイオン１ｃｃあたり３００万個以上の発生を可能とし、集塵・脱臭・抗菌効果で形成され、精密機械製造・実験室・公共施設（飲食店・ホテル・カラオケＢＯＸ・医療施設・福祉施設）や一般家庭の利用可能性が発揮出来る。【００１５】本発明は、上記汎用性を特徴とし、安心、安全な住環境を提供し、産業の育成に貢献できる。
(57)【要約】【課題】広告用のぼり旗において、電話番号やウェブアドレスが消費者に伝えたい情報になることは少なくない。ところが、生地に電話番号やウェブアドレスをプリントすると非常に読み取りにくい。もう一つの課題は、広告媒体としての宣伝効果である。従来の広告用のぼり旗は、生地部分だけでアピールするため、よく見ないと何を宣伝しているのか分からないことがあった。【解決手段】そこで、図１のようなボード（板）付きの横棒（かんざし）を製作する。このボード付きの横棒を、従来の横棒の上部に取り付ける。または、図２のようにＬ字型の鉤（フック）をボードの下部に取り付けて、ボードと横棒を一体型にする。Ｌ字型の鉤に生地のチチを通してから、横棒をポールに取り付ける。【選択図】図２
2012088676.tif 000002
【特許請求の範囲】
【請求項１】
ボード（板）を付けた、のぼり旗の横棒（かんざし）。
【発明の詳細な説明】
【技術分野】
【０００１】この発明は、広告用のぼり旗に関するものである。
【背景技術】
【０００２】従来、広告用のぼり旗は、縦棒（ポール）と横棒（かんざし）を組み合わせてポリエステル素材の生地を取り付けるというシンプルなものだった。
【発明の概要】
【発明が解決しようとする課題】
【０００３】広告用のぼり旗は、不動産物件やショップの店頭など、広範囲に設置されている。その際、広告主の電話番号やウェブアドレスが、消費者に伝えたい情報になることは少なくない。ところが、生地に電話番号やウェブアドレスをプリントすると非常に読み取りにくい。また、風で生地がはためくと、さらに読み取りにくくなる。もう一つの課題は、広告媒体としての宣伝効果である。従来の広告用のぼり旗は、生地部分だけでアピールするため、よく見ないと何を宣伝しているのか分からないことがあった。
【課題を解決するための手段】
【０００４】そこで、図１のようなボード（板）付きの横棒（かんざし）を製作する。このボード付きの横棒を、従来の横棒の上部に取り付ける。または、図２のようにＬ字型の鉤（フック）をボードの下部に取り付けて、ボードと横棒を一体型にする。Ｌ字型の鉤に生地のチチを通してから、横棒をポールに取り付ける。または、図３のようなボード付き横棒を製作する。これは、図１のボード付き横棒の先端に直線的な横棒を取り付けて、蝶番のように開閉できるようにしたものである。直線的な横棒に生地のチチを通してから、ボード付きの横棒を閉じて、縦棒（ポール）に取り付ける。以上のような実施例で、ボード付きの横棒を製作する。このボードに電話番号やウェブアドレスをプリントしたシールを貼る。あるいは、ボードに直接プリントする。そして、宣伝効果を高めるために、ボードの形状を様々なデザインで製作する。例えば、不動産物件を現地で宣伝するなら、図４のようにボードを家の形状にデザインする。喫茶店の店頭で宣伝するなら、図５のようにコーヒーカップの形状にデザインする。企業名をアピールしたい場合は、企業名のロゴの形状にデザインする。
【発明の効果】
【０００５】ボードに電話番号やウェブアドレスを表示することによって、のぼり旗から少し遠い位置からでも、文字や数字をはっきりと読み取れるようになる。また、風で生地部分がはためいても、文字や数字をはっきりと読み取れるようになる。電話番号やウェブアドレスに限らず、広告主が最も伝えたい情報をボードに表示することによって、効果的にアピールすることができる。さらに、ボードを様々な形状にデザインすれば、宣伝効果を高くすることができる。例えば、商品の形状にデザインしたボードならば、何の商品を販売しているのか、消費者は遠くから見てもすぐに分かる。魅力的なデザインのボードを製作すれば、宣伝効果はもっと高くなる。
【図面の簡単な説明】
【０００６】
【図１】ボード付きの横棒（かんざし）である。
【図２】Ｌ字型の鉤（フック）をボードの下部に取り付けて、ボードと横棒を一体型した横棒（かんざし）である。
【図３】図１のボード付き横棒の先端に直線的な横棒を取り付けて、蝶番のように開閉できるようにしたものである。
【図４】家の形状にデザインしたボード付きの横棒（かんざし）である。
【図５】コーヒーカップの形状にデザインしたボード付きの横棒（かんざし）である。
【発明を実施するための形態】
【０００７】代表的な実施例は、次の通りである。不動産物件、喫茶店、ケーキ店、レストラン、ビアガーデン、居酒屋、ラーメン店、うどん店、そば店、ハンバーガーショップ、パチンコ店、映画館、カラオケ店、書店、学習塾、音楽教室、スーパーマーケット、コンビニエンスストア、ドラッグストア、フラワーショップ、ヘアーサロン、眼鏡店、ペットショップ、カーディーラー、ガソリンスタンド、宅配便、２４時間営業表示、禁煙表示、交通安全標識、公共機関からのお知らせ、選挙活動、企業名のロゴ、店舗名のロゴ、商品名のロゴ・・・。
【符号の説明】
【０００８】１  横棒
２  ボード
３  Ｌ字型の鉤
４  蝶番
【図１】
2012088676.tif 000003
【図２】
2012088676.tif 000004
【図３】
2012088676.tif 000005
【図４】
2012088676.tif 000006
【図５】
2012088676.tif 000007
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
フックを下部に設置した、のぼり旗の横棒（かんざし）。
【請求項２】
蝶番を設置した、のぼり旗の横棒（かんざし）。
(57)【要約】      （修正有）【課題】永久磁石の留め具、スチールの留め具の両方を利用できる掲示ボードを提供する。【解決手段】掲示ボード１の裏面のスチール面３に永久磁石を固着させる。そのために、永久磁石留め具７はスチール面に吸着する。又、スチール留め具６は裏面の永久磁石に吸着する。【選択図】図１
2012088674.tif 000002
【特許請求の範囲】
【請求項１】
（２）掲示ボード表面が（３）スチール面の（１）掲示ボードにおいて、前記（１）掲示ボードの前記（３）スチール面の裏面に任意形状で任意数の（５）永久磁石を固着させる事を特徴とする（１）掲示ボード。
【発明の詳細な説明】
【技術分野】
【０００１】本発明は、掲示面がスチールの掲示ボードに関するものである。
【背景技術】
【０００２】従来の掲示ボードには、掲示面はスチールとコルクの物があった。
【発明の概要】
【発明が解決しようとする課題】
【０００３】従来は、掲示面がスチールの掲示ボードは紙等の掲示物等を掲示する際に留め具として永久磁石の留め具で押さえていた。
又、掲示面がコルクの掲示ボードは、画鋲等の留め具で押さえていた。
それから、永久磁石、画鋲の両方を止め具として利用できるものはあった。
本発明は、掲示面がスチールの掲示ボードの留め具として、永久磁石の留め具、スチールの留め具の両方を利用できることを目的とするものである。
【課題を解決するための手段】
【０００４】本発明は上記目的を達成するために掲示面がスチールの掲示ボードにおいて、前記掲示ボードの前記掲示面の裏面のスチール面に任意形状で任意数の永久磁石を固着させる。
又、安定した作り方等の場合は棒状の永久磁石を固着させる。
【発明の効果】
【０００５】上記した本発明の効果を説明する。
掲示ボードの表面に掲示物を掲示する際に磁石の留め具とスチールの留め具の両方を使用することが出来る。
又、画鋲、クリップなどのスチール製の物もスチール面に吸着させることができる。
【図面の簡単な説明】
【０００６】
【図１】本発明の実施の斜視図
【図２】スチール面の断面図
【図３】掲示ボードの裏面に永久磁石を取り付けた斜視図
【図４】掲示ボードの裏面に棒状の永久磁石を取り付けた斜視図
【発明を実施するための形態】
【０００７】以下、本発明の実施例を図面により説明する。
図１から説明すると、掲示ボードの表面がスチール面の場合、掲示物を留めるのに、永久磁石留め具を使用する。
だが、本発明はスチール留め具も使用できることを特徴としているのでその説明をする。
図３、図４の様に掲示ボード裏面のスチール面に永久磁石を固着させる。
永久磁石は円平状、角平状、角棒状、で良い。
図２は掲示ボード裏面のスチール面に永久磁石を固着させた状態の断面図である。
【０００８】掲示ボード表面の永久磁石留め具はスチール面に吸着する。
【０００９】掲示ボード表面のスチール留め具は図３、図４の裏面の永久磁石によりスチール面に吸着する。
【符号の説明】
【００１０】１  掲示ボード
２  掲示ボード表面
３  スチール面
４  掲示ボード裏面
５  永久磁石
６  スチール留め具
７  永久磁石留め具
８  掲示物
【図１】
2012088674.tif 000003
【図２】
2012088674.tif 000004
【図３】
2012088674.tif 000005
【図４】
2012088674.tif 000006
(57)【要約】【課題】再現性の高いゴルフスイングを会得するため、スイング時のクラブ重心構造による不安定な動きを一時的に抑制して、素振り練習者に安定したシャフト軌道の体験とシャフトに対するヘッド角度を視認する機会を提供し、安定したシャフト軌道を実現させるためのヘッド角度制御操作の指針とする。【解決手段】ゴルフスイング時に発生するシャフト中心軸にオフセットされたヘッド重量によるクラブ自体の回転作用を、クラブに重りを取り付ける事により抑制する。【選択図】図１
2012005527.tif 000002
【特許請求の範囲】
【請求項１】
ゴルフクラブのシャフト中心軸にオフセットされたヘッド重量によるスイング時のヘッド回転作用を抑制するため、ヘッド重心からシャフト中心軸を挟んだ方向に取り付け取り外し出来る構造の重り。
【請求項２】
ゴルフクラブ番手毎のヘッド重量とバランスを取るために、重量の増減又は重り位置調整可能な形状の請求項１記載の重り。
【発明の詳細な説明】
【技術分野】
【０００１】
ゴルフ練習器具に関するものである。
【背景技術】
【０００２】
ゴルフスイングの安定はショット選択の前提条件で極めて重要であり、素振りと試打練習に多くの時間をかけ会得するという考えが一般的である。
【０００３】
ゴルフスイングを安定させる為に、シャフト軌道の指針として軌道角度のガイドとなる形状物の側でスイング練習するための練習器具が提案されている、シャフト軌道の重要性は一般に認知されている。
【０００４】
ゴルフスイング練習に、野球バットのような形状物を使ってゴルフスイングする練習器具が提案されている、ゴルフクラブと異なり野球のバットのような安定した重心構造物でスイングすることにより、ゴルフクラブでのスイング時のシャフト軌道の指針と出来るので有効である。
【先行技術文献】
【特許文献】
【０００５】
【特許文献１】特開２００５−２１８７８４号公報
【特許文献２】特開２０１０−０８２４０９号公報
【特許文献３】特開２００９−１７２１４１号公報
【発明の概要】
【発明が解決しようとする課題】
【０００６】
ゴルフクラブの重心構造が原因でスイング時にクラブ自体に発生する回転作用を抑制する課題である。
【０００７】
回転作用とは、ゴルフクラブでのスイングで、シャフトの加速中ヘッド重心を中心としてネックを進行方向側へと回転させる作用と、シャフトの減速中ヘッド重心を中心としてトウを進行方向側へと回転させる作用であり、その作用に伴いクラブ全体も回転する。
【０００８】
上記の作用により、クラブヘッドはスイング中ヘッド重心を中心軸として変則的に左右回転してシャフト軌道維持を妨げる。よってシャフト軌道を安定させる為にゴルファーはスイング中ヘッドの回転を抑制する力をクラブに加える必要があり、そのためにはゴルファーがスイング中にヘッドが回転していない状態を把握している必要がある。
【０００９】
上記の理由から、再現性の高いゴルフスイングを会得するため、素振り練習者に安定したシャフト軌道の体験と回転作用が抑制されたシャフトに対するヘッド角度を視認する機会を提供し、安定したシャフト軌道を実現させるためのヘッド角度制御操作の指針とする課題である。
【課題を解決するための手段】
【００１０】
ゴルフスイング時のクラブ重心構造によるクラブ自体の回転作用を、クラブに重りを取り付ける事により抑制する。クラブのヘッド重心からシャフト中心軸を挟んだ方向にヘッド重量と釣り合う重りを取り付けクラブの重心をシャフトの中心軸上付近にすることで上記の回転作用は抑制される。この場合の重りはヘッドと同重量とする必要は無くシャフトとの距離と重量でヘッド重量とバランスがとれれば良い。
【発明の効果】
【００１１】
本発明をクラブに取り付け素振りをすることにより、ヘッドの回転作用は抑制されてスイング時のシャフト軌道は安定する。素振り練習者は安定したシャフト軌道を体験し同じシャフト軌道を実現させるためのシャフトに対するヘッド角度を視認することで、本発明を取り外したスイング時のシャフトに対するヘッド角度制御のための指針とできる。
【００１２】
本発明を通常使用するクラブに取り付け練習することで、ゴルファーはプレー時のスイングとの違和感を少なく素振りができ、従来と比べ用具を小型化できるので手軽に練習に取り組める。
【００１３】
本発明を利用して素振り練習をすることでシャフト軌道は安定する、本発明を取り外しそのシャフト軌道を習得すれば、ミート率向上によりスコアアップが期待できる。
【００１４】
本発明を取り付けるとクラブ重量が増加するので、素振り練習者のスイングアークが円心力で大きくなり体を動かす力を効率良くヘッドスピードに変えられる。
【発明を実施するための形態】
【実施例１】
【００１５】
本発明を練習者の通常使用するクラブに位置を調節し取り付け、スイング中脱落せぬ様に固定して安全を図る。増加した重量を活かしスイングアークを大きくすることを心がけ、素振り中はシャフトの軌道とシャフトに対するヘッド角度の体感と視認をする。
【実施例２】
【００１６】
本発明のゴルフクラブへの取り付け位置は、図３の様にシャフト中心軸を水平にした時にリーディングエッジが水平に成る状態がバランス上最良の状態でありヘッド回転作用が最小となる。
【実施例３】
【００１７】
図２の様に本発明の側面がリーディングエッジの延長線上と一致した時にスイング中のシャフトに対するヘッド角度を視認する上で最良の状態となる。
【図面の簡単な説明】
【００１８】
【図１】クラブに本発明を取り付けた斜視図である。
【図２】クラブに本発明を取り付けた上面図である。
【図３】クラブに本発明を取り付け、シャフトを水平に保持した状態の斜視図である。
【符号の説明】
【００１９】
１    本発明
２    取り付け部
３    クラブヘッド
４    ヘッド重心
５    ネック
６    トウ
７    シャフト
８    シャフト中心軸
９    リーディングエッジ
【図１】
2012005527.tif 000003
【図２】
2012005527.tif 000004
【図３】
2012005527.tif 000005
(57)【要約】【目的】抗酸化能力に優れる食べやすい熟らしにんにくを、安価に量産する方法に関するもの。【構成】むき身ニンニクを使用する事と、減少した水分を含浸させる事で水分飽和状態にしてから、沸騰以下の温度で密閉中に水分膨張による加圧状態を維持させる。装置自体を被熟物の割合に対して空間面積を狭める事で熱損失を低く抑える事と、適した環境の安定拡大の為に、増産に対する装置の考え方はマルチシステムであります。【特許請求の範囲】
【請求項１】
むき身ニンニクを、減少した水分を飽和状態にしてから、沸騰以下の温度で密閉袋や密閉ケース等に入れ水分膨張による加圧状態を維持させること。
【請求項２】
装置は熱源の分散と、更に装置自体を被熟物の割合１に対して空間面積を１〜５程度とする事、増産に対しては同装置の増設とするマルチシステムとする。
【発明の詳細な説明】
【技術分野】
【０００１】  本発明は、抗酸化能力に優れる食べやすい熟らしにんにくを、安価に量産する方法に関するものである。
【背景技術】
【０００２】  ニンニクは古来より、滋養強壮に高い効果があることは良く知られており、また、最近ではアメリカ国立ガン予防研究所の研究でガン予防の可能性のある重要食品のトップグループであると報告されるなど注目される食品である。しかし、摂取した場合に独特の刺激臭を有することや不快な口臭が残ってしまうことから敬遠されることが多かった。【０００３】  イオウ化合物の効果については、多くの文献にて紹介されている様によく知られるところである。食するための工夫も様々であるが、安価でおいしく食せる事と、様々な食品との組合せを可能にする食材を目指す。【０００４】  身体に有用なニンニクの有効成分の効果を引き出し、摂取したときのマイナス点である刺激臭や口臭を減ずるために、特開２０００４−１２１１１３号公報には生ニンニクを玄米発酵素に漬け込み、遠赤外線を発する物質を熱源との間に挟み込み、さらに一定の条件にて特定温度（３０℃〜７０℃）を長時間（約２５０〜３５０時間）加えることにより刺激臭を減じ、不快な口臭も長く残らないようにして上記諸問題を解決し、機能性食品として加工した酵素蒸しニンニクの製品内容について開示されている。【０００５】
【特許文献１】  特開２００４−１２１１１３号公報
【特許文献２】  特公昭４７−８５７４号公報
【特許文献３】  特開２００４−１８７６２３号公報
【０００６】  発酵ニンニク、熟成ニンニクなるものがあるが、ニンニクはもともと放って置くと発酵し、褐色化し始め分子の分解と共に柔らかく変化して行くものであります。つまり発酵し褐色化する事は自然現象であり、今までの環境条件の考え方いわゆる製法は殆どが似た様なもので、生ニンニクを球事入れて、ムロの中で温度と湿度を管理しながら時間を掛けて変化を待つものであります。【０００７】
【発明の開示】
【発明が解決しようとする課題】
【０００８】  しかしながら、今までの製法ではムロ自体が熱バランスの不均一、及び温度上昇による乾燥防止のための加湿により、更に温度上昇に掛かる熱損失等からコストが掛かる。また皮付きのまま加工する事による製品のムラが出る事や、皮付きは剥く時に手が汚れる事、また味にもバラつきがある。また加工時に発生する臭気は近隣とのトラブルの原因にもなり、現に苦情が出ていると聞いている。【０００９】
【課題を解決するための手段】
【００１０】  当工法は、むき身ニンニクを使用する事と、減少した水分を含浸させる事で水分飽和状態にしてから、沸騰以下の温度で密閉中に水分膨張による加圧状態を維持させることで得られる分子分解法である。【００１１】  温度を上げる事は乾燥を伴う為にどうしても加湿が必要である。たとえば６〜７月の収穫直後の乾燥しないにんにくは、ほとんど１００％に近い９８〜９９％程度の飽和水分を含有しているが、保存する為の乾燥をすることで、その時に１０％以上の水分を失う。それから日を追う毎に少しずつ減少して行くものであります。従って５〜６月、つまり収穫から１１ヶ月程度経過したものは、見た目表面上では分かりづらいが４０％程度の水分を吸水するほど、水分を失っております。【００１２】  当工法は発酵ではなく、煮る事に近い無添加低温加圧法とでもいう褐色ニンニクの製造方法であります。【００１３】
【発明の効果】
【００１４】  これらの工夫により、製品の安定化と、より低コスト化の実現により消費者に安価にての提供が出来ます。さらに、商品化にはゴミの減量化に寄与するパックを使用する事で、食べやすく更には環境を考慮しました。【００１５】
【発明を実施するための形態】
【００１６】  収穫時期からの経過日数や、産地を問わず前処理として飽和水分状態まで含水させる。それを密閉袋に入れ更に密閉ケースに入れる事で、水蒸気膨張により低加圧状態が出来る。さらに酵素反応にて発生する臭気は密閉状態のために外部への放散を防止出来る事と、途中での加湿はしない。
【００１７】  かつ均一性を保てる様に装置内の熱源を分散化する事と、蓄熱材等を敷き入れる、更に装置自体を被熟物の割合１に対して空間面積を１〜５程度とする、狭める事で熱損失を低く抑える事と、さらに適した環境の安定拡大の為に、増産に対する装置の考え方はマルチシステムとしているのであります。
(57)【要約】【課題】この発明は、海苔佃煮とラー油からなる水産加工食品を、両素材が混ざり合わないように容器に収容し、ラー油の油脂皮膜で海苔佃煮の品質を長期保存し、かつ消費者がそれぞれの好みの辛さ及び風味で食することが出来ることを課題としている。【解決手段】容器内に海苔佃煮を収容し、海苔佃煮をゲル状から固形状へ安定させた後に、重量比重の軽い常温のラー油を重ねて充填する手段をもって解決する。【特許請求の範囲】
【請求項１】
容器内に収容した海苔佃煮の上部に、ラー油を充填し油脂皮膜を形成して成る容器入り水産加工食品。
【請求項２】
容器内に収容した海苔佃煮をゲル状から固形状に安定させた後、常温下で安定したラー油を充填し、海苔佃煮とラー油が混合しないよう製品化される容器入り水産加工品の製造方法。
【発明の詳細な説明】
【発明の詳細な説明】
【産業上の利用分野】
【０００１】この発明は、海苔佃煮とラー油を原料素材とする容器入りの水産加工食品及びその製造方法に関する。
【背景技術】
【０００２】従来、海苔佃煮は緑藻類ヒトエグサを原料として、これを洗浄後醤油に漬けた後、調味料を加え加熱し、その後瓶他の容器に充填され製品化される。【０００３】一方、ラー油はごま油に唐辛子を入れ加熱し、唐辛子の辛味と赤色をごま油に移行させた後、唐辛子の焦げた残留物を取り除き製品化されたものをいう。【０００４】また、魚介類や野菜及び山菜を副原料として海苔佃煮と混合し、更にラー油を加えて混合調味し容器に充填し製品化されたものもある。【０００５】従って、海苔佃煮にラー油を加えて製品化する場合においても、前記混合する手法を採用すれば良いとも考えられる。
【発明が解決しようとする課題】
【０００６】従来、海苔佃煮は、容器開封前は常温保存が一般的であり、開封後は冷蔵保存でその品質を保持しようとするものである。しかしながら、開封後は水分の蒸発による味の濃度化や乾燥、空気に触れることによる酸化といった品質の劣化の問題が付きまとっていた。
【０００７】また、ラー油など辛味や風味を混合充填した際に、最終製品内において不均一の状況が生じ易く、食する消費者にとっては製品への満足度が低下する要因を持ち合わせていた。
【０００８】この発明は、上記した問題点を解決し、海苔佃煮とラー油からなる水産加工食品を、両素材が混ざり合わないように容器に収容し、ラー油の油脂皮膜で海苔佃煮の品質を長期保存し、かつ消費者がそれぞれの好みの辛さ及び風味で食することが出来ることを課題としている。
【課題を解決するための手段】
【０００９】上記の課題を解決するため、この発明においては、容器内に収容した海苔佃煮に、海苔佃煮より重量比重が低いラー油を積み重なるように充填してなる容器入り水産加工食品としたものである。
【００１０】上記の加工食品は、容器内に海苔佃煮を収容し、海苔佃煮がゲル状から固形状に安定した後に、常温のラー油を重ねて充填する手段で製造できる。
【作用】
【００１１】この発明に係る容器入り水産加工食品は、容器内で先に収容された海苔佃煮は冷却されることによりゲル状から固形状に変性し、表面に水分皮膜が構成される。その次工程で海苔佃煮の上部へ充填される常温のラー油は、海苔佃煮の水分と反発し、佃煮とは混合しない分離状態となる。
【００１２】また、保管時における容器の転倒や、輸送時の振動や衝撃、及び外気温の上昇による容器内の海苔佃煮のゲル状への変性などにより、一時的に海苔佃煮とラー油が一部混合する時もあるが、容器を一定時間安置すれば、それらの重量比重差により再び製品加工時の分離状態へと戻る。
【実施例】
【００１３】この発明に用いる容器としては、ガラス製の瓶の他、合成樹脂、陶器、缶等の金属製容器であっても良いが、収容された海苔佃煮とラー油の状態を外部から判別するには、一部またはその全体が透明である容器が望ましい。【００１４】また、この発明における海苔佃煮とは、従来周知の製法にて製造されたものであり、たとえば、緑藻類のヒトエグサを原料として、異物を除去して洗浄したのち、醤油、調味料、砂糖、水、カラメル等と合わせ、原料を分散させながら弱火で加熱し、放冷したのもであってもよい。【００１５】また、この発明に用いるラー油とは、ごま油と唐辛子を混合し低温加熱することによって得られる調味油であって、ごま油の他にサラダ油や大豆油を加えて唐辛子と混合し低温加熱して得られる調味油であってもより。【００１６】上記したラー油は、加熱後残留した唐辛子の粒をメッシュ等で取り除いた完全に液状の調味油とすることが望ましい。
【効果】
【００１７】この発明は、以上説明したように、容器内の海苔佃煮上部に充填されるラー油の油脂皮膜により、下部の海苔佃煮の品質が長期にわたり保持される。
【００１８】また、ラー油の皮膜効果によって海苔佃煮の品質保持効果が見込まれるため、従来海苔佃煮製品に使用されてきたソルビン酸等の保存料や酸化防止剤といった、品質保持目的の人工食品添加物の使用量を大幅に低減することが可能となる。
【００１９】また、消費者としても、それぞれの嗜好にあわせた割り合いで、海苔佃煮の旨みや甘みとラー油の辛味や風味を組合わせて食することができ、従来の均一調味された混合加工食品とは異なる満足を得ることができる。
(57)【要約】      （修正有）【課題】無線通信を行う受信機の、リアルタイムな無線通信システムにおける通信待機時の消費電力を最小限にする回路を有する無線装置を提供する。【解決手段】受信機は、受信待受状態では受信データの解読機能無効の休止状態とし、送信機からの搬送波を検知した時点で、受信データの解読機能有効状態に切り替え、データの送受信処理を行ない、データの送受信が終了し、搬送波停止後は、再び休止状態に戻すことにより無駄な消費電力を最小限にする。【選択図】図１
2012005019.tif 000002
【特許請求の範囲】
【請求項１】
受信機が、送信機からの搬送波を検知することによって、通信状態を切り替えることを特徴とする無線装置。
【請求項２】
受信機が、送信機からの搬送波を検知していない場合は、低消費電力状態を保つことを特徴とする無線装置。
【発明の詳細な説明】
【技術分野】
【０００１】
本発明は、無線通信における消費電力を最小限にする回路である。
【背景技術】
【０００２】
従来の無線通信は、通信を開始するために、受信機が常に受信データ解読機能有効状態で待機するか、または一定間隔で受信機を受信データ解読機能有効状態に切り替える必要があった。
【０００３】
しかしながら、受信機を常に受信データ解読機能有効状態で待機する場合、データ通信未使用状態においても、無駄な電力を消費することになる。
【０００４】
また受信機を一定間隔で送受信可能状態に切り替え仕様では、その一定間隔の間はリアルタイムな送受信ができないことになる。
【０００５】
本発明は、これらの問題を解決し、低消費電力かつリアルタイムな送受信が可能な無線装置を実現するための技術に関する。
【発明の概要】
【０００６】
受信機は、受信待受状態では受信データの解読機能無効の休止状態とし、送信機からの搬送波を検知した時点で、受信データの解読機能有効状態に切り替え、データの送受信処理を行ない、データの送受信後は、再び受信データの解読機能無効の休止状態に戻すことにより無駄な消費電力を最小限にする。
【発明が解決しようとする課題】
【０００７】
解決しようとする問題点は、無線通信における受信機の、リアルタイムな無線通信システムにおける通信待機時の消費電力を低く抑えることである。
【課題を解決するための手段】
【０００８】
本発明は、受信機が送信機からの搬送波を検知することによって通信状態を切り替えることを主要な特徴とする。
【発明の効果】
【０００９】
本発明は、受信機が送受信機からの搬送波を検知した時のみ休止状態から動作状態となり、リアルタイムな無線通信システムにおいても、消費電力が少ないという利点がある。
【図面の簡単な説明】
【００１０】
【図１】はリアルタイムな無線通信システムと間歇動作無線通信システムにおける親機と子機間の通信手順を示した解説図である。
【発明を実施するための形態】
【００１１】
送受信機からの搬送波を検知することによって通信状態を切り替える回路を搭載した子機は、親機からの送信要求として送出された搬送波を検知した時のみ休止状態から動作状態に切り替えることにより低消費電力無線装置を実現した。
【実施例】
【００１２】
本発明の一実施例を図１を参照して説明する。
【００１３】
図１に示すように、親機が子機に送信要求をする場合、あらかじめ指定された周波数の搬送波を親機から子機に送信する。
【００１４】
指定された周波数の搬送波を検知した子機は、休止状態から動作状態へ切り替わり、データ受信を開始する。
【００１５】
子機は、受信したデータを基に内部処理を行なう。
【００１６】
子機は、一連の情報処理の結果を、親機に対して送信する。
【００１７】
子機は、以上の動作が終了したら、再び休止状態となり、親機からのデータ受信待受状態となる。
【産業上の利用の可能性】
【００１８】
消費電力が少ないため、バッテリーを小さくでき、無線通信機器の小型化に適用できる。
【００１９】
消費電力が少ないため、バッテリーを長期間使用でき、バッテリー交換が困難な場所で使用する無線通信機器に適用できる。
【００２０】
消費電力が少ないため、無線通信機器の環境負荷低減に適用できる。
【符号の説明】
【００２１】
１：送信機
２：受信機
【図１】
2012005019.tif 000003
(57)【要約】【課題】電機子２の極とＮ、Ｓ極１部位との間で回すためのトルクが大きくならない効力を与えることが出来る１／２脈動直流用電機子２の位置決め、電力量を増やす、整流子３の上に発生するアークを抑制する事。【解決手段】Ｎ、Ｓ極１と電機子２の極との間でどの起動点を選ぶか、又一本の軸に脈動直流用電機子２を１２０°の角度で３つの電機子２を取り付ける。帯状の電機子２の幅、長さを選ぶ。４本のブラツシ４を備えた整流子３を提供する。【選択図】図１
2012005337.tif 000002
【特許請求の範囲】
【請求項１】
帯状の電機子２とその上に取り付けた円型の整流子３とからなり、前記整流子３の円周上に２枚の電極板＋、−を中心点を中心に対称位置に設け、第１のブラツシａと第２のブラツシｂおよび第３のブラツシｃと第４のブラツシｄをそれぞれ、＋、−極１の手前の位置に配置したことを特徴とする１／２脈動直流発電装置。
【発明の詳細な説明】
【技術分野】
【０００１】この考案は、電機子２の回転角度が３６０°内でだいたい０°前後からだいたい９０°前後まで、だいたい１８０°前後からだいたい２７０°前後までの間の発電回路をＯＦＦにする技術に関するものである。
【背景技術】
【０００２】従来の電機子２は、図６〜図１０に示すように帯状で半円の２枚の電極板５を向かい合わせに設けた整流子３が取り付けられているため、そく、電機子２が発電するようになり、したがって、従来の電機子２を回すトルクが大きくなり回転が重くなる。【０００３】図６〜図１０は電機子２の位置と整流子３のＯＮ、ＯＦＦの関係を示し、Ｎ、Ｓ極１の手前では、電機子２の極は、磁気的に反発を示す。
【考案が解決しようとする課題】
【０００５】本考案が解決しょうとする課題は、従来の電機子２を回すトルクが大きいので、回すトルクを小さくする事である。本考案はこの問題点を解決した整流子３と４本のブラツシ４を備えた電機子２を提供する。
【課題を解決するための手段】
【０００６】本考案は、２枚の電極板５を略こ字型に整流子３の上に取り付け、動作点を磁石の中心点よりだいたい前後に置いて電機子２の回転が軽くなる効果を期待するものである。本考案では、電気を取り出す４本のブラツシ４と略こ字型の２枚の電極板５が最も主要な構成要素である。
【考案の効果】
【０００７】電機子２を回すトルクが小さく、電機子２はスムーズに回転する。
整流子３の上に取り付けられている電極板５とブラツシ４が接続した時、急に電流が流れない。
【図面の簡単な説明】
【０００８】
【図１】本考案の１／２脈動直流発電の電機子２の磁極の変化と整流子３のＯＮ、ＯＦＦの関係を示した図である。
【図２】本考案の１／２脈動直流発電の電機子２の磁極の変化と整流子３のＯＮ、ＯＦＦの関係を示した図である。
【図３】本考案の１／２脈動直流発電の電機子２の磁極の変化と整流子３のＯＮ、ＯＦＦの関係を示した図である。
【図４】本考案の１／２脈動直流発電の電機子２の磁極の変化と整流子３のＯＮ、ＯＦＦの関係を示した図である。
【図５】本考案の１／２脈動直流発電の電機子２の磁極の変化と整流子３のＯＮ、ＯＦＦの関係を示した図である。
【図６】従来の脈動直流発電の電機子２の磁極と整流子３のＯＮ、ＯＦＦの関係を示した図である。
【図７】従来の脈動直流発電の電機子２の磁極と整流子３のＯＮ、ＯＦＦの関係を示した図である。
【図８】従来の脈動直流発電の電機子２の磁極と整流子３のＯＮ、ＯＦＦの関係を示した図である。
【図９】従来の脈動直流発電の電機子２の磁極と整流子３のＯＮ、ＯＦＦの関係を示した図である。
【図１０】従来の脈動直流発電の電機子２の磁極と整流子３のＯＮ、ＯＦＦの関係を示した図である。
【発明を実施するための形態】
【０００９】本願は、略こ字型に配置された２枚の電極板５を取り付けた整流子３と４本のブラツシ４を備えた電機子２を実施例により図１〜図５を参照しながら構成要素別に説明する。
【実施例】
【００１０】本考案の１／２脈動直流発電装置においてだいたい０°前後からだいたい９０°前後まで、だいたい１８０°前後からだいたい２７０°前後までの間の発電回路をＯＦＦにするため整流子３の円周上に略こ字型の２枚の電極板５を取り付けたのと４本のブラツシ４を備えた。【００１２】電機子２が０°前後から起動した場合、だいたい９０°前後まではＮ、Ｓ極１と電機子２の極との間は、＋、−の関係で電機子２の回転は重くならない。整流子３はＯＦＦなので、電機子２は発電しない。
だいたい９０°前後からだいたい１８０°前後まで回転するとＮ、Ｓ極１と電機子２の極との間で、＋、＋の関係でも重くならない。整流子３はＯＮなので電機子２は発電する。
だいたい１８０°前後からだいたい２７０°前後までＮ、Ｓ極１と電機子２の極との間は＋、−の関係で重くならない。整流子３はＯＦＦになるので電機子２は発電しない。
だいたい２７０°前後からだいたい３６０°前後まで回転するとＮ、Ｓ極１と電機子２の極との間は＋、＋の関係でも重くならない。整流子３はＯＮなので電機子２は発電する。
【産業上利用可能性】
【００１３】本考案により電機子２を回す回転トルクを小さくする効力を与えることが出来る小型発電機産業に貢献する事が出来る。
【符号の説明】
【００１６】１  Ｎ、Ｓ極
２  電機子
３  整流子
４  ブラツシ（４本）
５  電極板
【図１】
2012005337.tif 000003
【図２】
2012005337.tif 000004
【図３】
2012005337.tif 000005
【図４】
2012005337.tif 000006
【図５】
2012005337.tif 000007
【図６】
2012005337.tif 000008
【図７】
2012005337.tif 000009
【図８】
2012005337.tif 000010
【図９】
2012005337.tif 000011
【図１０】
2012005337.tif 000012
(57)【要約】      （修正有）【課題】バンブーダンスの舞踏に際して、竹竿の操作を行う人手と労力の負担をなくす。【解決手段】舞台上に井桁に交差させた竿３対を上下開閉と動かすため電動機に変速機を備えた駆動機構２を竿３の両端に各連結させる。竿の端にそれぞれ上下作動用綱と開閉作動用綱を取り付け滑車を経由して竿３を動かす切っ掛けの作動をする円盤と連結させる。【選択図】図１
2012005740.tif 000002
【特許請求の範囲】
【請求項１】
舞台上に井桁に交差させた２対の竿を上下開閉と連続して動かし、且楽曲の拍子に合わせて動かす事を可能とした駆動機構を設け、且前記２対の竿の各両端に前記駆動機構を連結し、且電動機に変速機を備え、前記駆動機構を作動させる電動バンブーダンス舞台。
【請求項２】
駆動機構に舞台上の竿を動かす切っ掛けとしての腕を取り付けた円盤を備え、且前記腕の着脱を可能とした複数の取り付け用の穴を設け、その前記腕を取り付ける場所と数を変える事に因り前記舞台上の竿をいろんな楽曲の拍子に合わせて動かす事を可能にした前記駆動機構を装備した、電動バンブーダンス舞台。
【発明の詳細な説明】
【技術分野】
【０００１】
本発明はダンスを踊るため音楽に合わせて竿を動かす舞台装置に関する。
【背景技術】
【０００２】
東南アジアの舞踊であるバンブーダンスは１対の竹竿を２人の人が両端を持って上下開閉と音楽に合わせて操作して、踊る人は竹竿の動きの間隙をぬって踊る。更にもう１対の竹竿を井桁に交差させて４人で操作して踊りを多様にしている。
【発明の概要】
【発明が解決しようとする課題】
【０００３】
以上に述べた従来のバンブーダンスでは、竹竿の操作に多くの人手と労力を要して限られた日時しか踊りは行われなかった。
【０００４】
本発明は人手と労力の負担をなくし何時でも少人数でも踊る事が出来る様にする事を目的とした。
【課題を解決するための手段】
【０００５】
本発明はプラスチック等適宜素材にて作製した筒状の竿２対を舞台上に井桁に交差させ、上下開閉と動かすための駆動機構を前記２対の竿の両端に各連結する。
【０００６】
上記駆動機構に電動機に変速機を備えその軸の先に円盤を装備する。
【０００７】
上記円盤は音楽の拍子に合わせるためその１回転を楽曲の１小節に制御し拍子を取るため腕を取り付け、且腕の着脱を可能とした穴を拍子を取る所定の位置に設ける。
【０００８】
前記２対の竿の両端に上下に動かすための綱と開閉と動かすための綱を各装着し、駆動機構の所定の場所に設けた滑車を経由して上記円盤に添わせて設置した板に各連結する。
【０００９】
上記綱は各板の左右の肩に当る所に連結しその下辺に蔓巻ばねを左右の足の様に取り付ける。
【００１０】
上記板は軌道の機能を持たせた柱で左右を挟み、上下用表板と開閉用裏板に分別し前記円盤の表と裏に添わせて装備する。
【００１１】
以上に述べた駆動機構を電動機に因って作動させ前記竿を動かす。
【発明の効果】
【００１２】
本発明は竿の操作を駆動機構に因って行う事から人手を必要としないので何時でも踊りが出来る様になる。
【図面の簡単な説明】
【００１３】
【図１】本発明の電動バンブーダンス舞台の平面図
【図２】同舞台のA-A線断面図
【図３】同舞台の駆動機構の１方側図
【図４】同舞台の竿を開閉と動かす駆動機構図
【図５】同舞台の竿を上下と動かす駆動機構図
【発明を実施するための形態】
【００１４】
以下実施の形態を図１〜図５に基づいて説明する。
【００１５】
図１の舞台１に井桁に交差させた竿３の両端を各駆動機構２に渡し連結させる。
【００１６】
両対称に作った駆動機構２の内の１方側の図３の竿３に上下に動かすための綱４を滑車５ａを経由させ表板９の両肩に当る所に連結させ、前記竿３の先端に開閉と動かすための綱１７を滑車５ｂを経由させ裏板８の両肩に当る所に連結させる。
【００１７】
表板９裏板８はその下辺に蔓巻ばね１６を左右に取り付ける。
前記表板９裏板８の両脇を軌道の機能を持たせた柱１１で挟み円盤６に添わせて装備する。
【００１８】
電動機１２は変速機１３を備え軸１０で円盤６に連結させ楽曲の１小節と同じ長さで１回転する様に制御する。前記円盤６に表板９裏板８押し下げる事を目的として腕７を取り付ける。
【００１９】
図４の竿３に開閉の動きをさせるため円盤６を回転させ腕７で裏板８を押し下げると綱１７は滑車５ｂを経由して竿３を互いに引き寄せる。さらに回転させ腕７が裏板８の中央に来たとき開放して蔓巻ばね１４と蔓巻ばね１６の反発で竿３は元の位置にもどる。
【００２０】
図５の竿３に上下の動きをさせるため円盤６を回転させ腕７で表板９押し下げると綱４は滑車５ａを経由して竿３を引き上げる。さらに回転させ腕７が表板９の中央に来たとき開放して蔓巻ばね１６の反発と竿３の重さで元の位置にもどる。
電動機１２を作動させ以上に述べた動きをくりかえす。
【符号の説明】
【００２１】
１    舞台
２    駆動機構
３    竿
４    上下用綱
５ａ  滑車        ５ｂ    滑車
６    円盤
７    腕
８    裏板
９    表板
１０  軸
１１  軌道柱
１２  電動機
１３  変速機
１４  蔓巻ばね
１５  軸受け
１６  蔓巻ばね
１７  開閉用綱
１８  拍子決定穴
【図１】
2012005740.tif 000003
【図２】
2012005740.tif 000004
【図３】
2012005740.tif 000005
【図４】
2012005740.tif 000006
【図５】
2012005740.tif 000007
(57)【要約】【課題】従来傘使用時少なくとも１方の手を使わざるをえず両手が自由に使えない難点があった。【解決手段】首から肩、胸、で支持され、脇に差し込み、後肩に巻着されるフレームと傘の手元、中棒を切り込み溝に装填し手元を回転し傘を固定する保持器で形成される傘保持フレームを使用することにより両手を自由にできる。【選択図】図１
2012005809.tif 000002
【特許請求の範囲】
【請求項１】
折りたたみができ、首から肩で支持され、胸から脇に差し後肩に巻着され固定されるフレームで形成される傘保持フレーム。
【請求項２】
角度調整ができ、傘の中棒を収納する切欠された溝をもつ外側中空円柱と傘の手元を収納し回転することにより傘を固定することができる内側中空円柱とで構成された保持器を設けたことを特徴とする請求項１の傘保持フレーム。
【発明の詳細な説明】
【技術分野】
【０００１】  本発明は傘使用時、両手を使える傘保持フレームに関する。
【背景技術】
【０００２】  従来傘を使用する時には必ず片方の手を使わざるを得ず、両手を使う作業が困難であった
【発明の開示】
【発明が解決しようとする課題】
【０００３】  以上に述べた従来の方法では傘使用時に両手が使えないので不便であり又危険でもあった【０００４】  本発明はこのような従来の方法が有していた問題を解決しようとするものであり不便さを解消し、危険防止の為、両手を自由にすることを目的とする
【課題を解決するための手段】
【０００５】  そして本発明は上記目的を達成するために、首、肩で支持され胸から脇に差し後肩を巻着し固定されるフレームと、角度調整ができ、傘のはじきを収納する切欠された溝をもつ外側中空円柱と傘の手元を収納し回転させることにより傘を固定することができる内側中空円柱とで構成された保持器を設けた傘保持フレームである。
【発明の効果】
【０００６】  上述したように本発明は傘を保持器で強固に固定し、風向に合わせ角度調整し、フレームで密着されることにより両手が自由に使える
【発明の実施するための最良の形態】
【０００７】  以下、本発明の実施の形態を図１〜図５に基づいて説明する
【０００８】  図１において１はフレームでピン１１ａで軸支されており未使用時、閉脚され折りたたみ、使用時開脚され首後部に定置される後首部１１と肩で支持された肩支持部１２と保持器２を取着された胸当て部１３と脇に挟着される脇差し部１４と脇から後肩部に巻着される先端部１４ａとで形成される。
【０００９】  図２〜図４において傘４の中棒４１を外側中空円柱２１を通過させ内側中空円柱２２に収納し手元４２を内側中空円柱２２に一体化された手元受け２２ａに収納し回転させることにより傘４を固定し、角度が可変する角度調整部２３がフレーム接続部１３ａに軸３に軸支されることにより形成される保持器２である。
【００１０】  図５は本発明を装備した図である。以上により両手が自由に使える。
【図面の簡単な説明】
【００１１】
【図１】本発明の実施形態を示す傘保持フレーム全体図
【図２】傘を収納時の同保持器の図５におけるＡ−Ａ線断面図
【図３】傘を収納し傘固定時の同保持器の図５におけるＡ−Ａ線断面図
【図４】同保持器の図１におけるＢ−Ｂ線断面図
【図５】本発明の装着図
【符合の説明】
【００１２】１      フレーム
１１    後首部
１１ａ  ピン
１２    肩支持部
１３    胸当て部
１３ａ  フレーム接続部
１４    脇差し部
１４ａ  先端
２      保持器
２１    外側中空円柱
２２    内側中空円柱
２３    角度調整部
３      軸
４      傘
４１    中棒
４２    手元
【図１】
2012005809.tif 000003
【図２】
2012005809.tif 000004
【図３】
2012005809.tif 000005
【図４】
2012005809.tif 000006
【図５】
2012005809.tif 000007
(57)【要約】【課題】医薬品が後発薬ブーム（特許切れの薬品は安く作れ、国の医療費節約の奨励策と相まって）で、薬品名の急激な増加は、調剤の現場に大きな混乱を齎しつつあります。処方箋に書かれた薬をいかに早く見つけるかが、課題です。【解決手段】パソコンソフト内に予め薬品名を薬効別にグループ分けして備蓄引き出し毎にＡ−ＮＯ４等と入力しておきます。（Ａグループは解熱、鎮痛薬。Ｂグループは抗生、抗菌薬等と大別して）医師の発行した処方箋に書かれた薬品名をパソコンに入力すれば其の薬はＡグループのＮＯ４に在る等と表示、即印刷排出され、薬剤師はこのメモで直ちに調剤作業に入れます。このようなソフトがその効用を１００％発揮するには限られた調剤室の壁面をいかに効率良く使い、見易い場所に、少しでも多くの備蓄棚を確保するかの工夫も大切です。薬の備蓄用の引き出しを壁面に前後二段とする事で、引き出しの数を６０％増にでき収納場所も見つけ易くなり調剤時間も短縮できる。【選択図】図１
2012005808.tif 000002
【特許請求の範囲】
【請求項１】
次のような機能を持ったソフト。        医師の処方箋に書かれた薬品名をパソコンに入力すると、其の薬の有無、無いときは、同じ薬効の薬が何番の引き出しに備蓄されている、等とパソコン上に表示し、これが即印刷排出される。        但しこれには前提条件があり、予め使用者がソフト内に薬品名を薬効別にグループ分けし、実際に備蓄された薬には何番の棚にあるか番号を付けて入力して置く事が必要です。（Ａ−グループは解熱鎮痛薬、Ｂ−グループは抗生、抗菌薬等と大別して）
【請求項２】
限られた壁面積を６０％増しに使えるように工夫され、且つそれぞれのケースにグループ記号と番号を付けた調剤備蓄薬専用のケース。        薬の備蓄用の引き出しを調剤室の壁面に前後二段とする事で、引き出しの数を６０％増しにできる。収納先が見つけ易くなることで調剤時間も短縮できる。        請求項１のソフトがその効用を１００％発揮するには、限られた調剤室の壁面をいかに効率良く使い、見易い場所に、少しでも多くの備蓄用引き出しを確保するかの工夫も大切です。        請求項１，２、の両者が補完することでこのシステムの運用効果を発揮できるとかんがえる。
【発明の詳細な説明】
【技術分野】
【０００１】本発明は、パソコンソフト内に、予め薬品名、収納棚番などを薬効別にグループ分け（Ａ−グループ、Ｂ−グループなど、）して入力しておき、医師の発行した処方箋の薬品名を、パソコンに、入力すると、其の薬がＢグループのＮＯ−４に在る等とパソコン画面に表示し、同時に印刷排出される、ものであります。
【背景技術】
【０００２】調剤の現状は、処方された薬品の有無を、事典、あるいは予め記録したノート等から調べて対応しています。薬の備蓄についても、見易い所に、数多く、との発想がみられない。
【発明の概要】
【発明が解決しようとする課題】
【０００３】現在の医薬品は、既存薬、新薬、後発薬と大別できますが、薬剤数で約６００〜１０００薬品名で２０００〜８０００とも言われ、今後ますます増えると考えられています。処方箋は医師が書きますが同じ薬効の薬でも、メーカー毎に異なる薬品名が付けられ、医師も同じメーカーの薬を使うとは限りませんので、調剤の現場は大変です。これらの記憶と選別が一人の薬剤師の頭脳でしかも短時間に完壁に消化できるとは考えられません。これをいかにフォローし、かつ誤調剤を少なくするかが最大の課題と考えています。
【解決するための手段】
【０００４】処方箋に書かれた薬品名をパソコンに入力すれば、それがどんな薬効の薬か（所属グループで判る）何番の棚（引き出し）に在るか、もし備蓄が無いときは、同じ薬効の薬が何番の棚に在るとパソコン上に併記され、同時に印刷排出されるソフトを使い且つこの機能を１００％発揮させるための調剤室内の壁面積を立体的に利用した棚（引き出し）を作ることです。薬の備蓄用引き出しは、ごく小さい物ですが壁面に前後二段とすることで、棚数を６０％増にでき、収納棚番も見つけ易くなり調剤時間も短縮できます。（棚とは引き出しが棚状に配置されたもので、薬効別にグループ分けし、番号を付けておきます。）ケース番号も、グループ分けも、使う人が使い易いように入力すればよいのです。ソフト内に書き込む薬品名は限りなく増えますし、その一方で、製造中止となる薬もでてきます、このときはこれを消去する等して、逐次内容を更新することで、より完成度の高いものとなります。
【発明の効果】
【０００５】ドラックストアー業界での調剤薬局併設の動きは益々加速しますが、この競争は、待たせない（調剤が早い）断らない（備蓄薬の充実）の二点で、業績が左右されます。        もはや事典やメモノート類による対応では不可能です。「今まで慣れで出来たから」「ベテランだから」では無理です。早く、正確に、がこの発明の効果です。      システム化出来る所は単純化して、薬剤師の頭脳、エネルギーを前向きに活用すべきです。この業界の展開は約２５年位前から始まり、従って現在の経営トップの皆さんにとって調剤は全く未知の分野です、（院内調剤は別ですが、１９５０年頃から医薬分業が叫ばれ、漸く軌道に乗り始めたのがこの頃ですから。）調剤の現場の姿、悩みは全く理解されていません。事故が起きてからでは遅いと考えます。
【図面の簡単な説明】
【０００６】
【図１】調剤室に取り付けられた備蓄ケースの図ですが、室内の壁面を１０とすると其の前面に作られる移動式のケース幅は、片方が３、もう片方も３の比率とすることがポイントです。（Ａ１０：Ｂ３：Ｃ３）前面の移動するケースの幅がこれより大きくなると後方のケースから薬が取り出せなくなります。室内の壁を幾つかに分けて、それぞれに、上の比率で備蓄ケースを作ると便利です。（個々の引き出しの大きさは使う人が考え選択します。）
【発明を実施するための形態】
【０００７】予め薬品名、薬効別の所属グループ、棚番号、等を入力したソフトを使い、処方箋の薬品名を打ち込めば、その薬はどんな薬効の薬か（所属グループで判る）何番ケースに在る等とパソコンに表示され、即印刷排出される。薬剤師はこのメモで直ちに備蓄ケースから調剤に必要な薬を取り出せる。つまり有能なソフトと見つけ易く配置された備蓄ケースの両者が在って初めて本来の発明の目的が達成されると考えております。（調剤室の片隅にパソコンとプリンター、そしてよく工夫された備蓄ケースこの三点セットで大きな安心、安全が得られます。）
【図１】
2012005808.tif 000003